(57)【要約】【課題】夏場の需要家の使用電力抑制のためエアコン等の負荷への電力供給を遮断する場合に、需要家の温度上昇を抑制することができる電力制御システムを提供する。【解決手段】エアコン等の負荷への電力供給を使用電力抑制のため開閉器１０６にて遮断する前に、制御装置１０３が散水装置１１２を制御し需要家に散水し温度上昇を抑制するようにした。【選択図】  図１
2010206947.tif 000002
【特許請求の範囲】
【請求項１】
電力需要を予測し負荷遮断の指示を行う指示手段と、
負荷への電力供給を遮断する遮断手段と、
水を散水する散水手段と、
前記指示手段からの負荷遮断の指示を受けた場合に、前記散水手段にて散水を行った後に
、前記遮断手段にて前記負荷への電力供給を遮断するよう制御する制御手段と
を具備したことを特徴とする電力制御システム。
【請求項２】
電力需要を予測し負荷遮断の指示を行う指示手段と、
負荷への電力供給を遮断する遮断手段と、
水を散水する散水手段と、
需要家の温度を測定する温度測定手段と、
前記指示手段からの負荷遮断の指示を受けた場合に、
前記散水手段にて散水を行い、前記温度測定手段により測定された温度が所定の温度以下
である場合に、前記遮断手段にて前記負荷への電力供給を遮断するよう制御する制御手段
と
を具備したことを特徴とする電力制御システム。
【請求項３】
電力需要を予測し負荷遮断の指示を行う指示手段と、
第一の負荷への電力供給を遮断する第一の遮断手段と、
第二の負荷への電力供給を遮断する第二の遮断手段と、
水を散水する散水手段と、
前記指示手段からの負荷遮断の指示を受けた場合に、
前記第一の遮断手段が遮断状態でないときは前記第一の遮断手段にて前記第一の負荷への
電力供給を遮断するよう制御し、
前記第一の遮断手段が遮断状態であるときは前記散水手段にて散水を行った後に、前記第
二の遮断手段にて前記第二の負荷への電力供給を遮断するよう制御する制御手段と
を具備したことを特徴とする電力制御システム。
【請求項４】
前記散水手段は、需要家に設置された負荷へ電力供給を行う太陽電池に対し散水すること
を特徴とする請求項１乃至３のいずれか１項記載の電力制御システム。
【請求項５】
前記散水手段は、需要家に設置され余剰電力を充電する二次電池に対し散水することを特
徴とする請求項１乃至４のいずれか１項記載の電力制御システム。
【発明の詳細な説明】
【技術分野】
【０００１】
本発明は被測定系の使用電力を制御する電力制御システムに関する。
【背景技術】
【０００２】
従来より、一般家庭や工場、事業所の使用電力を制御する電力制御システムが普及して
きている。当該電力制御システムとしては中央制御装置がエアコンを時分割にて制御する
もの等がある。（例えば特許文献１）
【先行技術文献】
【特許文献】
【０００３】
【特許文献１】特開２００２−１１８９６１公報（第５頁、図２）
【発明の概要】
【発明が解決しようとする課題】
【０００４】
近年、エアコンが普及したため、夏場の電力消費は非常に大きいものとなっている。従来
より需要家の使用電力を抑制する電力制御を行うシステムは存在したが、当該システムで
は需要家の使用電力を抑制するためにエアコン等の運転を一方的に停止するものであった
ため、夏場の暑い時期にエアコンの使用を断念せざるを得なくなった需要家に、不満が残
るという問題点があった。
【０００５】
本発明は、夏場の需要家の使用電力抑制のためエアコン等の負荷への電力供給を遮断する
場合に、需要家の温度上昇を抑制することができる電力制御システムを提供することを目
的とする。
【課題を解決するための手段】
【０００６】
上記目的を達成するために、本発明による電力制御システムは、電力需要を予測し負荷遮
断の指示を行う指示手段と、負荷への電力供給を遮断する遮断手段と、水を散水する散水
手段と、前記指示手段からの負荷遮断の指示を受けた場合に、前記散水手段にて散水を行
った後に、前記遮断手段にて前記負荷への電力供給を遮断するよう制御する制御手段とを
具備したことを特徴とする。
【発明の効果】
【０００７】
本発明によれば、夏場の需要家の使用電力抑制のためエアコン等の負荷への電力供給を遮
断する場合に、需要家の温度上昇を抑制することができる電力制御システムを提供するこ
とができる。
【図面の簡単な説明】
【０００８】
【図１】本発明による電力制御システムの実施例１の構成を示すシステム構成図
【図２】本発明による実施例１のプログラムの構成を示すプログラム構成図
【図３】本発明による実施例１の散水機能付水道メータの構成を示す内部構成図
【発明を実施するための形態】
【０００９】
以下、本発明の実施例を説明する。
【００１０】
［実施例１］
本発明による電力制御システムの実施例１につき図１を参照して説明する。
【００１１】
図１において、１０１はセンタ装置で、パーソナルコンピュータやミニコンピュータが
これに当たり、電力会社の営業所等に設置されている。
【００１２】
１０２は、情報供給装置で地域の電力使用状況や天気情報を供給するインターネットのサ
イトや情報用センタ装置がこれに当たり、インターネット回線、電話回線、携帯電話回線
、専用線、無線電波等によりセンタ装置１０１に接続されている。
【００１３】
１０３は、制御装置で、後述する各部により構成されており、いわゆるスマートメータと
呼ばれる電力量計等がこれに当たり、電力を使用する需要家に設置される。
【００１４】
１０４は通信部で、インターネット回線、電話回線、携帯電話回線、専用線、無線電波等
に対応した通信回路により構成されており、センタ装置１０１との間で通信を行う。
【００１５】
１０５は電力測定部で、電流センサ、電圧センサ、アナログ−デジタル変換器、マイクロ
コンピュータ等を組み合わせた回路により構成されており、需要家にて使用された電力・
電力量を測定し電力データを作成し出力する。ここで電力データとは例えば現在の使用電
力や1時間等の単位時間ごとの使用電力量に関するデータをいう。
【００１６】
１０６は開閉器で、外部から開閉制御可能なコンタクタ等により構成されており、接続
される負荷への電力供給を導通・遮断する。
【００１７】
１０７は開閉器で、外部から開閉制御可能なコンタクタ等により構成されており、接続さ
れる負荷への電力供給を導通・遮断する。
【００１８】
１０８は電池で、充電可能なリチウム電池等の二次電池により構成されており電力需要家
に設置され、余剰電力を充電する。充電電流の導通・遮断は開閉器１０６により行われる
。
【００１９】
１０９は負荷で、エアコン等の負荷がこれに当たり電力需要家に設置され、当該負荷への
電力供給は開閉器１０７により導通・遮断される。
【００２０】
１１０は負荷で、エアコン以外の負荷がこれに当たり電力需要家に設置される。
【００２１】
１１１は発電装置で、太陽光発電システム等により構成されており、発電装置１１１で発
電された電力は負荷１１０、電池１０８、負荷１０９に供給される他、前記負荷１１０、
電池１０８、負荷１０９にて消費しきれない場合には、電力供給源側へ供給される。
【００２２】
１１２は散水装置で、スプリンクラーや散水機能付水道メータにより構成されており、外
部からの指示により散水する。
【００２３】
１１３は温度測定装置で、測温抵抗体等により構成されており、需要家の温度を測定する
。
【００２４】
１１４は制御部でマイクロコンピュータ等により構成されており、電力量測定部１０５に
より測定された電力・電力量を編集し、通信部１０４を介し電力データとしてセンタ装置
１０１に送信する。
【００２５】
また制御部１１４は、センタ装置１０１から送信された指令電文に基づき開閉器１０６の
導通・遮断を制御する。
【００２６】
また制御部１１４は、センタ装置１０１から送信された指令電文と温度測定部１１３から
の温度データに基づき、開閉器１０７の導通・遮断を制御する。
【００２７】
また制御部１１４は、散水装置１１２の散水動作を制御する。
【００２８】
次に、本実施例の動作を図２に示す制御装置１０３のプログラムフロー図を参照しつつ説
明する。本プログラムは制御装置１０３の制御部１１４内の図示しないプログラムメモリ
内に記憶され、制御部１１４の動作を制御している。なお、以下には、開閉器１０６、開
閉器１０７の遮断動作に関する部分についてのみ示すこととする。
【００２９】
センタ装置１０１は一定時間毎、例えば３０分毎に、各需要家に設置された制御装置１
０３から需要家にて使用された電力・電力量に関するデータである電力データを通信にて
取得し、累積合計し地域全体の消費電力・電力量を算出している。また、センタ装置１０
１は情報供給装置１０２からインターネット回線、電話回線、携帯電話回線、専用線、無
線電波等による通信にて、地域の電力発電状況や天気情報を取得し電力需要の予測を行う
。作成された電力需要の予測により電力が不足すると判断された場合、センタ装置１０１
は各需要家に接地された制御装置１０３に対し、インターネット回線、電話回線、携帯電
話回線、専用線、無線電波等により電力を遮断する旨のコマンドを送信する。
【００３０】
通信部１０４を介しセンタ装置１０１からの電力を遮断する旨のコマンドを受信した場
合（ステップ２０１）、制御部１１４は開閉器１０６が遮断状態であるかの判断を行う（
ステップ２０２）。開閉器１０６が遮断状態でないと判断された場合、制御部１１１４は
、開閉器１０６を遮断状態とし（ステップ２０３）、使用電力を削減するため電池１０８
への充電電流を遮断する。その後、制御部１１４は、開閉器１０６遮断後の需要家の消費
電力を測定し電力データとして通信部１０４を介しセンタ装置１０１に送信する（ステッ
プ２１０）。センタ１０１は、各需要家から送信された電力データを累積加算し地域全体
として所望の消費電力に低減することができたか判断を行う。所望の消費電力に低減する
ことができていない場合は、一定時間後、例えば３０分後に再度電力を遮断する旨のコマ
ンドを各需要家の制御装置１０３に対して送信する。
【００３１】
一方、ステップ２０２にて、開閉器１０６が遮断状態であると判断された場合、制御部１
１４は開閉器１０７が遮断状態であるかの判断を行う（ステップ２０５）。開閉器１０７
が遮断状態であると判断された場合、制御部１１４は、需要家の消費電力を測定し電力デ
ータとして通信部１０４を介しセンタ装置１０１に送信する（ステップ２１０）。
【００３２】
一方、ステップ２０５にて、開閉器１０７が遮断状態にないと判断された場合、制御部１
１４は、温度測定部１１３にて需要家の温度Ｔを測定し、事前に設定されている温度Ｔ１
、例えば２８℃以下であるかの判断を行う（ステップ２０６）。需要家の温度Ｔが事前に
設定されている温度Ｔ１以下であると判断された場合、制御部１１４は、開閉器１０７を
遮断状態とし（ステップ２０９）、使用電力を削減するためエアコン等の負荷１０９への
電力供給を遮断する。その後、制御部１１４は、開閉器１０７遮断後の需要家の消費電力
を測定し電力データとして通信部１０４を介しセンタ装置１０１に送信する（ステップ２
１０）。
【００３３】
一方、ステップ２０６にて、需要家の温度Ｔが事前に設定されている温度Ｔ１以下でない
と判断された場合、制御部１１４は、散水装置１１２が一定時間散水を行うよう制御する
（ステップ２０７）。当該散水は需要家のエアコン等の設備への電力供給を遮断する前に
需要家の温度を下げておくことを目的として行われる。また、散水を行った回数Ｎがステ
ップ２０７にて計数される。
【００３４】
次に制御部１１４は散水を行った回数Ｎが、事前に設定されている散水回数Ｎ１以上かの
判断を行う（ステップ２０８）。散水を行った回数Ｎが、事前に設定されている散水回数
Ｎ１以上であると判断された場合、制御部１１４は、開閉器１０７を遮断状態とし（ステ
ップ２０９）、使用電力を削減するためエアコン等の負荷１０９への電力供給を遮断する
。その後、制御部１１４は、開閉器１０７遮断後の需要家の消費電力を測定し電力データ
として通信部１０４を介しセンタ装置１０１に送信する（ステップ２１０）。
【００３５】
一方、ステップ２０８にて、散水を行った回数Ｎが、事前に設定されている散水回数Ｎ１
以上でないと判断された場合、制御部１１４は、需要家の温度Ｔが事前に設定されている
温度Ｔ１以下となったかの判断動作（ステップ２０６）、ならびに散水装置１１２による
散水動作（ステップ２０７）を繰り返し、温度Ｔ１以下となった場合、または温度Ｔ１以
下とならないが散水回数が回数Ｎ１以上となった場合、開閉器１０７を遮断状態とし（ス
テップ２０９）、使用電力を削減するためエアコン等の負荷１０９への電力供給を遮断す
る。その後、制御部１１４は、開閉器１０７遮断後の需要家の消費電力を測定し電力デー
タとして通信部１０４を介しセンタ装置１０１に送信する（ステップ２１０）。
【００３６】
散水装置１１２は需要家の家屋や庭に対し散水する他、発電装置１１１を冷却するため
太陽光発電パネルのパネル面に散水してもよい。また、二次電池である電池１０８に散水
してもよい。発電装置１１１に散水した場合、太陽光発電パネルの温度を下げることがで
き、発電効率を向上させることができる。電池１０８に散水した場合、電池の温度を下げ
ることができ充電効率を向上させることができる。
【００３７】
また、散水装置１１２には散水機能付水道メータとしてもよい。ここで散水機能付水道
メータの内部構成について図３を参酌して説明する。
【００３８】
図３において、３０１は水道メータ本体であり地中等に設置される。
【００３９】
３０２は水路で、ステンレス等の金属からなるパイプ等により構成され、外部からの水
を下流へ伝達する。
【００４０】
３０３は計量部で水流に応じ回転する水車等により構成され、外部から供給される水量
を羽根車の回転情報に変換する。
【００４１】
３０４は散水管で、ステンレス等の金属からなるパイプ等により構成され、水路３０２
から分岐した構造となっており散水用の水を流通させる。
【００４２】
３０５は遮断弁で、ゴムパッキン等により密封性を持たせた弁により構成され、散水管
３０４の水の遮断・流通を行う。
【００４３】
３０６は計量部で水流に応じ回転する水車等により構成され、散水管３０４に供給され
る水量を羽根車の回転情報に変換する。
【００４４】
３０７は散水口で、水が周囲に拡散させるようなプラスチック等からなるノズルにより
構成されており、散水管３０４の端に取り付けられ散水用の水を拡散する。
【００４５】
３０８は表示部で、液晶表示器等により構成されており、計量部３０３にて計量された
計量値を表示する。
【００４６】
３０９は通信部で、有線または無線のインタフェース回路にて構成され、外部からの通
信電文を受信する。
【００４７】
３１０は制御部で、マイクロコンピュータ等により構成され、計量部３０３の検出信号
を検出し表示を制御するとともに、計量部３０６、通信部３０９からの信号を受け遮断弁
３０５を制御する。
【００４８】
計量部３０３は水流の流量に正比例した回転数を示す水車等にて構成されており、水路
３０２に流れる水量を検出して制御部３１０に伝達している。
【００４９】
制御部３１０は常時、計量部３０３にて水路３０２に流れる水量を検出し、当該水量を
使用量として表示部３０８に表示させる（図中不示）。
【００５０】
散水動作は以下の手順にて行われる。
【００５１】
通信部３０９を介し制御装置１０３の制御部１１４からの散水を指示するコマンドが受
信された場合、制御部３１０は遮断弁３０５を開放する。遮断弁３０５が開放されると水
は水路３０２、計量部３０６を介し、散水管３０４に流れ込みその水圧にて散水口３０７
より散水される。計量部３０６は水流の流量に正比例した回転数を示す水車等にて構成さ
れており、散水管３０４を介し散水される水量を検出し、制御部３１０に伝達している。
制御部３１０は計量部３０６からの水量データをもとに事前に設定されている設定水量値
に達したかの判断を行う。散水量が設定水量値に達した場合、制御部３１０は遮断弁３０
５を閉塞し散水動作を停止し散水動作を終了する。なお設定水量値はプログラムに初期設
定、もしくは通信部３０９を介し制御部３１０内の記憶部（図中不示）に設定されるもの
とする。
【００５２】
このようにすれば、制御装置１０３からのコマンドに応じ一定水量を散水することがで
きる。例えば、設定水量値を２０Ｌとしておけば２０Ｌの散水を自動にて行うことができ
る。
【００５３】
センタ装置１０１にて、電力不足が解消したと判断された場合、センタ装置１０１は各
需要家に設置された制御装置１０３に対し、インターネット回線、電話回線、携帯電話回
線、専用線、無線電波等により電力を復帰する旨のコマンドを送信する。通信部１０４を
介しセンタ装置１０１から電力の復帰を指示するコマンドが受信された場合（図中不示）
、制御部１１４は開閉器１０６、開閉器１０７を導通状態に復帰させる。
【００５４】
本実施例を用いれば、気温の高い日に需要家のエアコン等の負荷への電力供給を遮断する
場合に、エアコン等の負荷への電力供給遮断前に散水装置にて需要家に散水を行うため、
エアコン等の負荷への電力供給遮断を行っても温度上昇を抑制することが可能である。
【００５５】
また、散水装置により散水した場合でも温度が下降しない場合、温度が下降するまで一定
回数散水を行うため、より温度上昇を抑制することが可能である。
【００５６】
また、電力を逐電する二次電池が負荷に存在する場合、当該二次電池への充電電流をエア
コン等の負荷より先に遮断するため便利である。
【００５７】
以上のように、本発明を用いれば、夏場の需要家の使用電力抑制のためエアコン等の負荷
への電力供給を遮断する場合に、需要家の温度上昇を抑制することができる電力制御シス
テムを提供することができる。
【符号の説明】
【００５８】
１０１    センタ装置
１０２    情報供給装置
１０３    環境測定装置
１０４    通信部
１０５    電力測定部
１０６    開閉器
１０７    開閉器
１０８    電池
１０９    負荷
１１０    負荷
１１１    発電装置
１１２    散水装置
１１３    温度測定部
３０１    散水機能付水道メータ
３０２    水路
３０３    計量部
３０４    散水管
３０５    遮断弁
３０６    計量部
３０７    散水口
３０８    表示部
３０９    通信部
３１０    制御部
【図１】
2010206947.tif 000003
【図２】
2010206947.tif 000004
【図３】
2010206947.tif 000005